(57)【要約】【課題】軸方向の寸法を短くすることができ、コンパクト化および材料コストの削減を図ることができる雌型端子金具を提供する。【解決手段】相手側の雄型端子と接続される一対の弾性挟持片２１，２１と、電線７の芯線７０に加締められる一対の加締片３０，３０とを備えた端子本体４と、先端側に雄型端子が挿入される端子挿入口５０と、後端側に電線７の被覆部７１に加締められる加締め部５２とを備え、端子本体４を覆うスリーブ部材５と、から構成し、電線７の芯線７０に一対の加締片３０，３０を加締めた後、加締め部５２を、一対の加締片３０，３０が芯線７０を加締めた部位と、電線７の被覆部７１とを覆いつつ、加締める。【選択図】図３
2011165324.tif 000002
【特許請求の範囲】
【請求項１】
相手側の雄型端子と接続される一対の弾性挟持片と、
電線の芯線に加締められる一対の加締片とを備えた端子本体と、
先端側に該雄型端子が挿入される端子挿入口と、
後端側に該電線の被覆部に加締められる加締め部とを備え、該端子本体を覆うスリーブ部材と、から構成され、
該電線の該芯線に該一対の加締片を加締めた後、
該加締め部が、該一対の加締片が該芯線を加締めた部位と、該電線の被覆部とを覆いつつ、加締められることを特徴とする雌型端子金具。
【請求項２】
請求項１記載の雌型端子金具であって、
前記スリーブ部材は、円筒状に形成され、前記端子本体を軸方向の全長にわたって覆うことを特徴とする雌型端子金具。
【請求項３】
請求項１記載の雌型端子金具であって、
前記端子本体は、前記スリーブ部材の係合片が係合するくびれ部を備え、
該くびれ部に前記係合片を係合させることにより前記端子本体と前記スリーブ部材との軸方向の位置合わせを行なうことを特徴とする雌型端子金具。
【発明の詳細な説明】
【技術分野】
【０００１】
本発明は、一端に電線を接続し他端に相手側の雄型端子を接続する雌型端子金具に関する。
【背景技術】
【０００２】
従来、雌型端子金具として、特許文献１に記載されているものが提案されている。この雌型端子金具１００は、図７に示すように、端子接続部１０１および電線接続部１０２を有する端子本体１０３と、端子接続部１０１に被着され、端子接続部１０１を覆う筒状のスリーブ部材１０４とから構成されている。端子本体１０３は、導電性金属板に曲げ加工を施すことにより一体的に形成されており、端子接続部１０１および電線接続部１０２間には、くびれ部１０５が介設されている。
【０００３】
端子接続部１０１は、互いに対向し、相手側の雄型端子を挟持する一対の弾性挟持片１０６，１０６を備えている。電線接続部１０２は、互いに対向し、図示しない電線の導体部と接続される一対の接続片１０７，１０７と、この一対の接続片１０７，１０７より後端側に配置され、電線に加締められる一対の加締片１０８，１０８とを備えている。スリーブ部材１０４は、導電性金属板に曲げ加工を施すことにより一体的に形成され、先端側に図示しない相手側の雄型端子が挿入される端子挿入口１０４ａが設けられている。
【０００４】
上記構成では、電線接続部１０２の接続片１０７，１０７間および加締片１０８，１０８間に電線を挿入した状態で接続片１０７，１０７を加締めることにより電線の導体部と電気的に接続し、加締片１０８，１０８を加締めることにより電線を保持する。次に、スリーブ部材１０４内に端子接続部１０１を先端側から挿入することによって、端子本体１０３およびスリーブ部材１０４を組立てた後、スリーブ部材１０４内に先端側の端子挿入口１０４ａから相手側の雄型端子を挿入すると、該雄型端子が端子接続部１０１の弾性挟持片１０６，１０６により挟持される。これによって、電線および相手側の電線が電気的に接続される。
【先行技術文献】
【特許文献】
【０００５】
【特許文献１】特開平９−１８５９７０号公報
【発明の概要】
【発明が解決しようとする課題】
【０００６】
ところで、前述した従来の雌型端子金具１００では、電線の導体部に接続される接続片１０７，１０７より後端側に加締片１０８，１０８を設けることによって電線との電気的な接続箇所および機械的な接続箇所を２箇所に分散したので、雌型端子金具１００の軸方向の寸法が長くなるという問題があった。
【０００７】
本発明は、上記事情を考慮し、軸方向の寸法を短くすることができ、コンパクト化および材料コストの削減を図ることができる雌型端子金具を提供することを目的とする。
【課題を解決するための手段】
【０００８】
請求項１の発明は、相手側の雄型端子と接続される一対の弾性挟持片と、電線の芯線に加締められる一対の加締片とを備えた端子本体と、先端側に該雄型端子が挿入される端子挿入口と、後端側に該電線の被覆部に加締められる加締め部とを備え、該端子本体を覆うスリーブ部材と、から構成され、該電線の該芯線に該一対の加締片を加締めた後、該加締め部が、該一対の加締片が該芯線を加締めた部位と、該電線の被覆部とを覆いつつ、加締められることを特徴とする。
【０００９】
請求項２の発明は、請求項１記載の雌型端子金具であって、前記スリーブ部材は、円筒状に形成され、前記端子本体を軸方向の全長にわたって覆うことを特徴とする。
【００１０】
請求項３の発明は、請求項１、または請求項２記載の雌型端子金具であって、前記端子本体は、前記スリーブ部材の係合片が係合するくびれ部を備え、該くびれ部に前記係合片を係合させることにより、前記端子本体と前記スリーブ部材との軸方向の位置合わせを行なうことを特徴とする。
【発明の効果】
【００１１】
請求項１の発明によれば、端子本体に設けられる一対の加締片を電線に加締めることにより、電線との電気的な接続を行なうとともに、端子本体に被着したスリーブ部材に径方向の両側から圧着加工を施して、一対の加締片が芯線を加締めた部位を電線の被覆とともにスリーブ部材の加締め部で加締めることにより、電線との機械的な接続を行なうので、従来のように電線との電気的な接続箇所および機械的な接続箇所を２箇所に分散して設ける必要がなくて済み、雌型端子金具の軸方向の寸法を短くすることができる。したがって、雌型端子金具のコンパクト化を図れるとともに、端子本体およびスリーブ部材の材料である金属板の歩留まりを向上させて材料コストを削減できる。
【００１２】
請求項２の発明によれば、請求項１の発明の効果に加えて、雌型端子金具の端子本体は軸方向の全長にわたって円筒状のスリーブ部材によって覆われているので、雌型端子金具をコネクタハウジングのマットシール内を挿通させる際、貫通穴内周面のリップなどを雌型端子金具により損傷することを抑制することができる。これにより、コネクタハウジング内への浸水をより確実に防止できるので、防水性の向上を図ることができる。
【００１３】
請求項３の発明によれば、請求項１、または請求項２の発明の効果に加えて、スリーブ部材の係合片を端子本体のくびれ部に係合させることにより、端子本体とスリーブ部材との軸方向の位置合わせを行なうので、スリーブ部材を端子本体に対して容易に被着させることができる。
【図面の簡単な説明】
【００１４】
【図１】本発明の一実施形態を示し、端子本体の電線接続部に電線を接続する工程を説明する斜視図である。
【図２】本発明の一実施形態を示し、端子本体の電線接続部に電線を接続した状態を示す斜視図である。
【図３】本発明の一実施形態を示し、端子本体にスリーブ部材を被着する工程を説明する斜視図である。
【図４】本発明の一実施形態を示し、端子本体にスリーブを被着した状態を示す斜視図である。
【図５】本発明の一実施形態を示し、各端子本体を切り離す前の状態を示す斜視図である。
【図６】本発明の一実施形態を示し、各スリーブ部材を切り離す前の状態を示す斜視図である。
【図７】従来の雌型端子金具を示す斜視図である。
【発明を実施するための形態】
【００１５】
以下、本発明の実施形態を図面を参照して説明する。
【００１６】
図１〜図６は本発明の一実施形態を示し、図１は端子本体の電線接続部に電線を接続する工程を説明する斜視図、図２は端子本体の電線接続部に電線を接続した状態を示す斜視図、図３は端子本体にスリーブ部材を被着する工程を説明する斜視図、図４は端子本体にスリーブを被着した状態を示す斜視図、図５は各端子本体を切り離す前の状態を示す斜視図、図６は各スリーブ部材を切り離す前の状態を示す斜視図である。
【００１７】
本実施形態の雌型端子金具１は、端子接続部２および電線接続部３を有する端子本体４と、この端子本体４を覆う筒状のスリーブ部材５とから構成されている。端子本体４は、導電性金属板４ａにプレス加工あるいは冷間鍛造加工などの成型加工を施すことにより一体的に形成されており、端子本体４の端子接続部２および電線接続部３間には折り曲げた板部材からなるくびれ部６が介設されている。
【００１８】
端子接続部２は、くびれ部６と隣り合う筒状の基部２０と、この基部２０より先端側へ突出するとともに、互いに対向し、図示しない相手側の雄型端子を挟持する一対の弾性挟持片２１，２１を備えている。各弾性挟持片２１，２１は、円弧状に湾曲した外周壁を有し、互いに対向する間隔が端子本体４の先端側に向けて狭まるように形成されている。また、各弾性挟持片２１，２１の先端部２２，２２は、相手側の雄型端子を受け易くするため外側に折り曲げられている。電線接続部３は、電線７の芯線７０に加締められる一対の加締片３０，３０を備えている。
【００１９】
スリーブ部材５は、金属板５ａにプレス加工あるいは冷間鍛造加工などの成型加工を施すことにより、両側の接合端５ｂ，５ｂが互いに接合された状態で一体的に円筒状に形成される。その結果、スリーブ部材５により端子本体４が覆われるので、弾性挟持片２１，２１を何らかの物体との衝突から保護することによって、弾性挟持片２１，２１の変形を防止できる。また、スリーブ部材５は、先端側に相手側の雄型端子が挿入される端子挿入口５０が設けられるとともに、スリーブ部材５の一部を切き欠いて内側に折曲げることにより、端子本体４のくびれ部６に係合する一対の係合片５１，５１が形成されている。さらに、スリーブ部材５は、後端側に電線７の被覆部７１に加締められる加締め部５２が設けられている。
【００２０】
上記構成において、図５に示すように、導電性金属板４ａにプレス加工あるいは冷間鍛造加工などの成型加工を施すことにより、端子本体４を形成して電線接続部３の一部を半円筒状に形成するとともに、一対の加締片３０，３０をそれぞれ平板状に、かつ互いに対向しつつ両側へ開くように形成する。また、図６に示すように、金属板５ａにプレス加工あるいは冷間鍛造加工などの成型加工を施すことにより、スリーブ部材５の一部を半円筒状に形成して、他の部分（一対の接合端５ｂ，５ｂ寄りの部分）を互いに対向しつつ両側へ開くように形成する。
【００２１】
このようにして端子本体４およびスリーブ部材５を形成した後、
図１に示すように、端子本体４の電線接続部３に電線７を受け入れて、芯線７０の先端をくびれ部６の後端に突き当てることにより電線７の軸方向の位置決めを行なった後、
図２に示すように、一対の加締片３０，３０を加締めることにより、電線接続部３と電線７の芯線７０とを電気的に接続するとともに、電線接続部３を円筒状に形成し、一対の加締片３０，３０の各先端を互いに接合させる。次に、図３に示すように、スリーブ部材５に端子本体４を受け入れて、端子本体４のくびれ部６に係合片５１，５１を係合させて、スリーブ部材５と端子本体４との軸方向の位置合わせを行なう。次に、図４に示すように、スリーブ部材５のうち両側へ開いていた一対の接合端５ｂ，５ｂ寄りの部分に成形加工を施してスリーブ部材５を円筒状に形成し、両側の接合端５ｂ，５ｂを互いに接合させるとともに、スリーブ部材５に径方向の両側から圧着加工を施すことにより、加締め部５２が、一対の加締片３０，３０が芯線７０に加締められた電線接続部３と、被覆部７１とを覆いつつ、加締められることによって、スリーブ部材５、端子本体４および電線７を機械的に接続する。
【００２２】
このようにして雌型端子金具１を組立てた後、スリーブ部材５の端子挿入口５０を介して相手側の雄型端子を端子接続部２内に挿入したとき、端子接続部２の一対の弾性挟持片２１，２１が外側へ開いて相手側の雄型端子を弾性的に挟持するので、電線７と相手側の雄型端子との電気的な接続が行われる。
【００２３】
以上のように、本実施形態の雌型端子金具１によれば、端子本体４の加締片３０，３０を加締めることにより電線７の芯線７０と電気的に接続した後、端子本体４に被着したスリーブ部材５に圧着加工を施して、加締片３０，３０が芯線７０に加締められた電線接続部３を電線７の被覆７１とともにスリーブ部材５の加締め部５２で加締めることにより、電線７を保持するようにしたので、従来のように電線との電気的な接続箇所および機械的な接続箇所を２箇所に分散して設ける必要がなくて済み、雌型端子金具１の軸方向の寸法を短くすることができる。したがって、雌型端子金具１のコンパクト化を図れるとともに、材料である金属板４ａ，５ａの歩留まりを向上させて材料コストを削減できる。
【００２４】
また、上記構成によれば、雌型端子金具１を構成する端子本体４が軸方向の全長にわたって円筒状のスリーブ部材５により覆われているので、雌型端子金具１を図示しないコネクタハウジングのマットシール内を挿通させる際、貫通穴内周面のリップなどを雌型端子金具１により損傷することを抑制することができる。これにより、コネクタハウジング内への浸水をより確実に防止できるので、防水性の向上を図ることができる。さらに、スリーブ部材５が円筒状に形成されており、中心軸を中心として回転位置を特定する必要がなく、この点に関する方向性を有していないため、雌型端子金具１を回転位置にこだわることなく容易にコネクタハウジングの端子挿入穴に挿入できる。これにより、雌型端子金具１を備えたワイヤハーネスを製作する際の作業性を向上できるので、製作コストの低減を図ることができる。
【００２５】
また、上記構成によれば、主に端子本体４を介して電線７と相手側の雄型端子との電気的な接続を行なうので、スリーブ部材５の材料として必ずしも優れた導電性を有する金属板を用いる必要はなく、例えば、ＳＵＳ材などの低コスト材を用いてコスト削減を図ることができる。
【００２６】
なお、上記実施形態にあっては、端子接続部２が円筒状に形成された場合を例示したが、本発明はこれに限定されず、端子接続部を角筒状などの他の断面形状に形成することもできる。さらに、上記実施形態にあっては、端子本体４の端子接続部２および電線接続部３間のくびれ部６が折り曲げた板部材からなる場合を例示したが、本発明はこれに限定されず、小径の円筒体によりくびれ部を構成することもできる。
【符号の説明】
【００２７】
１  雌型端子金具
４  端子本体
５  スリーブ部材
６  くびれ部
７  電線
２１，２１  弾性挟持片
３０，３０  加締片
５０  端子挿入口
５１，５１  係合片
【図１】
2011165324.tif 000003
【図２】
2011165324.tif 000004
【図３】
2011165324.tif 000005
【図４】
2011165324.tif 000006
【図５】
2011165324.tif 000007
【図６】
2011165324.tif 000008
【図７】
2011165324.tif 000009